(57)【要約】【課題】複数の端末装置が無線通信で中継装置に接続されるネットワークにおいて、スループットを向上させること。【解決手段】端末装置と無線通信を行う無線通信装置の指向性通信を制御する制御部を備え、前記制御部は、前記端末装置の特性を示すデバイス識別情報に応じて決まる通信条件を満たすように、前記指向性通信を制御する制御装置。【選択図】図１
2019068169.tif 000002
【特許請求の範囲】
【請求項１】
端末装置と無線通信を行う無線通信装置の指向性通信を制御する制御部を備え、
前記制御部は、前記端末装置の特性を示すデバイス識別情報に応じて決まる通信条件を満たすように、前記指向性通信を制御する制御装置。
【請求項２】
前記制御部は、前記端末装置と前記無線通信装置とが行う無線通信の通信品質を取得し、前記通信品質に基づいて前記通信条件を満たすための前記指向性通信のパラメータを決定し、決定したパラメータで動作するように前記通信装置を制御する、請求項１に記載の制御装置。
【請求項３】
無線通信アンテナと、
前記無線通信アンテナにおける指向性通信を制御する通信制御部と、
通信相手となる端末装置の識別情報に応じて決まる通信条件を満たすように、前記指向性通信の制御内容を決定する決定部と、
を備え、
前記通信制御部は、前記決定部によって決定された制御内容で前記無線通信アンテナにおける指向性通信を制御する、
無線通信装置。
【請求項４】
端末装置を認証する認証装置と、
前記端末装置の特性を示すデバイス識別情報と通信条件とを対応付けて記憶するデータベースと、
無線通信アンテナを用いて前記端末装置と無線通信する無線通信装置と、
前記無線通信アンテナにおける指向性通信を制御する通信制御部と、
通信相手となる端末装置の識別情報に応じて決まる通信条件を満たすように、前記指向性通信の制御内容を決定する決定部と、
を備え、
前記通信制御部は、前記決定部によって決定された制御内容で前記無線通信アンテナにおける指向性通信を制御する、無線通信システム。
【請求項５】
端末装置と無線通信を行う無線通信装置の指向性通信を、前記端末装置の特性を示すデバイス識別情報に応じて決まる通信条件を満たすように制御する制御方法。
【発明の詳細な説明】
【技術分野】
【０００１】
本発明は無線通信技術に関する。
【背景技術】
【０００２】
近年、ＩｏＴ（Internet of Things）技術の推進によって、様々な端末装置が無線通信ネットワークに接続されている（例えば特許文献１参照）。例えば、従来からネットワークに接続されているようなパーソナルコンピュータのみならず、監視カメラやセンサー等の装置も無線通信によってネットワークに接続されている。
【０００３】
無線通信の品質は、アクセスポイント（ＡＰ）等の中継装置が無指向性アンテナを用いている場合には、その距離に応じて決まることが多い。具体的には、中継装置と端末装置との間の距離が長いほど無線通信の品質は劣化してしまう。そのため、中継装置から離れた位置に配置された端末装置に関して無線通信の品質を高く維持することが難しい場合があった。
【０００４】
このような問題に対し、指向性アンテナを用いることによって解決を図ろうとする技術がある。具体的には、中継装置と端末装置との間でビームフォーミング技術を用いた無線通信を行うことで、無線通信の品質を高く維持することが検討されている。
【先行技術文献】
【特許文献】
【０００５】
【特許文献１】特開２０１７−１５１６４４号公報
【発明の概要】
【発明が解決しようとする課題】
【０００６】
しかしながら、指向性アンテナを用いたビームフォーミング技術では、ビームが向いている特定の端末装置以外の装置に関しては通信品質が悪化してしまうおそれがある。そのため、複数の端末装置が接続される環境では無線通信のリソースを有効に活用できない場合があった。
【０００７】
上記事情に鑑み、本発明は、複数の端末装置が無線通信で中継装置に接続されるネットワークにおいて、スループットを向上させることができる技術の提供を目的としている。
【課題を解決するための手段】
【０００８】
本発明の一態様は、端末装置と無線通信を行う無線通信装置の指向性通信を制御する制御部を備え、前記制御部は、前記端末装置の特性を示すデバイス識別情報に応じて決まる通信条件を満たすように、前記指向性通信を制御する制御装置である。
【０００９】
本発明の一態様は、上記の制御装置であって、前記制御部は、前記端末装置と前記無線通信装置とが行う無線通信の通信品質を取得し、前記通信品質に基づいて前記通信条件を満たすための前記指向性通信のパラメータを決定し、決定したパラメータで動作するように前記通信装置を制御する。
【００１０】
本発明の一態様は、無線通信アンテナと、前記無線通信アンテナにおける指向性通信を制御する通信制御部と、通信相手となる端末装置の識別情報に応じて決まる通信条件を満たすように、前記指向性通信の制御内容を決定する決定部と、を備え、前記通信制御部は、前記決定部によって決定された制御内容で前記無線通信アンテナにおける指向性通信を制御する、無線通信装置である。
【００１１】
本発明の一態様は、端末装置を認証する認証装置と、前記端末装置の特性を示すデバイス識別情報と通信条件とを対応付けて記憶するデータベースと、無線通信アンテナを用いて前記端末装置と無線通信する無線通信装置と、前記無線通信アンテナにおける指向性通信を制御する通信制御部と、通信相手となる端末装置の識別情報に応じて決まる通信条件を満たすように、前記指向性通信の制御内容を決定する決定部と、を備え、前記通信制御部は、前記決定部によって決定された制御内容で前記無線通信アンテナにおける指向性通信を制御する、無線通信システムである。
【００１２】
本発明の一態様は、端末装置と無線通信を行う無線通信装置の指向性通信を、前記端末装置の特性を示すデバイス識別情報に応じて決まる通信条件を満たすように制御する制御方法である。
【発明の効果】
【００１３】
本発明により、複数の端末装置が無線通信で中継装置に接続されるネットワークにおいて、スループットを向上させることが可能となる。
【図面の簡単な説明】
【００１４】
【図１】本発明の無線通信システム１００のシステム構成を示す概略ブロック図である。
【図２】通信条件テーブルの具体例を示す図である。
【図３】制御装置３０の機能構成例を示す図である。
【図４】端末通信条件テーブルの具体例を示す図である。
【図５】中継装置４０の機能構成例を示す図である。
【図６】無線通信システム１００の動作のうち、端末装置５０が中継装置４０に接続する際の処理の流れの具体例を示すシーケンスチャートである。
【図７】無線通信システム１００の動作のうち、端末装置５０が中継装置４０に接続した後に無線通信する際の処理の流れの具体例を示すシーケンスチャートである。
【図８】第一の変形例を示す図である。
【図９】第二の変形例を示す図である。
【図１０】第三の変形例を示す図である。
【図１１】第四の変形例を示す図である。
【発明を実施するための形態】
【００１５】
以下、本発明の具体的な構成例について、図面を参照しながら説明する。
図１は、本発明の無線通信システム１００のシステム構成を示す概略ブロック図である。無線通信システム１００は、認証装置１０、データベース２０、制御装置３０、中継装置４０及び端末装置５０を備える。認証装置１０、データベース２０及び制御装置３０は通信を行うことでデータを送受信する。認証装置１０、データベース２０及び制御装置３０が行う通信は、無線通信であってもよいし有線通信であっても良い。無線通信システム１００には１台以上の中継装置４０が設けられる。制御装置３０と各中継装置４０とは通信を行うことでデータを送受信する。制御装置３０と各中継装置４０との間で行われる通信は、無線通信であってもよいし有線通信であってもよい。中継装置４０には、複数台の端末装置５０が無線通信可能に接続される。中継装置４０と端末装置５０との間で行われる無線通信は、どのような態様の無線通信であってもよい。例えば、中継装置４０と端末装置５０との間で行われる無線通信は、無線ＬＡＮ（Local Area Network）であってもよい。
【００１６】
認証装置１０は、情報処理装置を用いて構成される。認証装置１０は、中継装置４０に接続しようとする端末装置５０について認証処理を行う。例えば、認証装置１０は、認証に関する認証データベースと、認証処理を行う認証制御部とを備える。認証制御部は、認証依頼を受信すると、受信された認証依頼に含まれる認証情報と、認証データベースに登録されている情報と、に基づいて認証処理を行う。認証制御部は、認証データベースにおいて認証が許可されると定義されている認証情報に関して認証する。認証制御部は、認証データベースにおいて認証が許可されると定義されていない認証情報に関しては認証しない。認証制御部は、認証処理の結果を認証依頼の送信元に通知する。認証装置１０によって認証された端末装置５０は、中継装置４０に無線通信で接続することが許可される。
【００１７】
データベース２０は、磁気ハードディスク装置や半導体記憶装置等の記憶装置を用いて構成される。データベース２０は、通信条件テーブルを記憶する。図２は、通信条件テーブルの具体例を示す図である。通信条件テーブルは、複数の通信条件レコード９０を有する。通信条件レコード９０は、デバイス識別情報及び通信条件の各値を有する。
【００１８】
デバイス識別情報は、端末装置５０の特性を示す情報である。デバイス識別情報は、例えば端末装置５０のハードウェアの種別を示す情報であってもよい。より具体的には、端末装置５０が、予め定められた種別（例：カメラ、センサー、スマートフォン、タブレット、パーソナルコンピュータ）のいずれであるかを示す情報であってもよい。デバイス識別情報は、例えば端末装置５０のハードウェアの型番又は製品名を示す情報であってもよい。デバイス識別情報は、端末装置５０に対して予め付与されている個別の識別情報であってもよい。
【００１９】
通信条件は、端末装置５０に関して要求される無線通信に関する情報である。通信条件は、例えばデータ伝送速度（伝送レート）を示す情報であってもよい。通信条件は、例えばSignal-Noise Ratio（ＳＮＲ）やReceived Signal Strength Indication（ＲＳＳＩ）等の通信品質を示す情報であってもよい。
【００２０】
通信条件レコード９０は、デバイス識別情報毎に、そのデバイス識別情報を有する端末装置５０と中継装置４０との無線通信において要求される通信条件を対応付けて有する。例えば、データ通信量が多くなる可能性の高い種別のデバイス識別情報には、より高い通信条件が対応付けられる。一方、データ通信量が少ない可能性の高い種別のデバイス識別情報には、より低い通信条件が対応付けられる。例えば、データ容量が大きいデータである静止画像データや動画像データを送信するカメラに関するデバイス識別情報には、より高い通信条件が対応付けられる。一方、例えば、データ送信が間欠的であったり、送信されるデータ容量が小さい装置であるセンサー（例えば、人感センサー、水位センサー、回転量センサーなど）に関するデバイス識別情報には、より低い通信条件が対応付けられる。
【００２１】
図３は、制御装置３０の機能構成例を示す図である。制御装置３０は情報処理装置を用いて構成される。制御装置３０は、第一通信部３０１、第二通信部３０２、端末通信条件記憶部３０３及び制御部３０４を備える。
【００２２】
第一通信部３０１は、ネットワークインタフェースを用いて構成される。第一通信部３０１は、通信路を介して他の装置と通信する。第一通信部３０１は、例えば認証装置１０及びデータベース２０と通信する。
【００２３】
第二通信部３０２は、ネットワークインタフェースを用いて構成される。第二通信部３０２は、通信路を介して他の装置と通信する。第二通信部３０２は、例えば中継装置４０と通信する。
【００２４】
端末通信条件記憶部３０３は、磁気ハードディスク装置や半導体記憶装置等の記憶装置を用いて構成される。端末通信条件記憶部３０３は、端末通信条件テーブルを記憶する。図４は、端末通信条件テーブルの具体例を示す図である。端末通信条件テーブルは、複数の端末通信条件レコード９１を有する。端末通信条件レコード９１は、端末識別情報及び通信条件の各値を有する。端末識別情報は、端末装置５０を一意に示す識別情報である。端末識別情報は、例えば、端末装置５０のアドレス情報（例えば、ＩＰアドレス、ＭＡＣアドレス等）であってもよいし、端末装置５０に付与されている識別情報であってもよい。端末通信条件レコード９１は、端末識別情報毎に、その端末識別情報を有する端末装置５０と中継装置４０との無線通信において要求される通信条件を対応付けて有する。
【００２５】
図３に戻って説明を続ける。制御部３０４は、バスで接続されたプロセッサ及びメモリを備える。制御部３０４は、制御プログラムを実行することによって、通信制御部３０５及び決定部３０６として機能する。なお、通信制御部３０５及び決定部３０６の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。制御プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。制御プログラムは、電気通信回線を介して送信されても良い。
【００２６】
通信制御部３０５は、中継装置４０の動作を制御する。例えば、通信制御部３０５は、中継装置４０を介して認証要求を受信すると、認証装置１０に対して認証依頼を送信する。そして、通信制御部３０５は、認証依頼に対する認証結果を、要求元である端末装置５０に送信する。また、通信制御部３０５は、認証要求に含まれるデバイス識別情報に応じた通信条件をデータベース２０に要求する。端末装置５０は、データベース２０から通知される通信条件と、要求元である端末装置５０の端末識別情報とを対応付けて端末通信条件テーブルに登録する。例えば、通信制御部３０５は、決定部３０６によって決定される通信条件に基づいて、中継装置４０と端末装置５０との間で行われる無線通信を制御する。例えば、ある端末装置５０との無線通信においてビームフォーミングを使用することが決定された場合、通信制御部３０５は、中継装置４０におけるビームフォーミングを制御する。より具体的には、通信制御部３０５は、ビームフォーミングに用いられるアンテナ毎のパラメータを決定し、決定したパラメータで中継装置４０が動作するように中継装置４０を制御してもよい。通信制御部３０５は、ビームフォーミングの実行に際し、通信相手となる端末装置５０と中継装置４０との相対的な位置関係を、中継装置４０の各アンテナの受信強度等に基づいて判定してもよい。
【００２７】
決定部３０６は、中継装置４０と端末装置５０との組み合わせ毎に、その組み合わせで行われている無線通信の通信品質（以下「実測品質」という。）と、その端末装置５０に対応付けて端末通信条件記憶部３０３に記憶されている通信条件とに基づいて、ビームフォーミングを使用するか否か決定する（以下「決定処理」という。）。実測品質は、例えばＳＮＲやＲＳＳＩの値である。決定部３０６は、実測品質が通信条件を満たしていない場合には、ビームフォーミングを使用することを決定する。一方、実測品質が通信条件を満たしている場合には、ビームフォーミングを使用しないことを決定する。決定部３０６は、中継装置４０と端末装置５０との組み合わせ毎に、決定結果を通信制御部３０５に出力する。
【００２８】
図５は、中継装置４０の機能構成例を示す図である。中継装置４０は、無線ＬＡＮのアクセスポイント等の無線通信装置である。中継装置４０は、アンテナ４０１、第一通信部４０２、第二通信部４０３及び通信制御部４０４を備える。
【００２９】
アンテナ４０１は、ビームフォーミングを実現可能なアンテナである。アンテナ４０１は、例えば複数のアンテナを用いたアレーアンテナであってもよい。
【００３０】
第一通信部４０２は、アンテナ４０１を介して端末装置５０との間で無線通信を行う。第一通信部４０２は、通信制御部４０４によってビームフォーミングを行うように制御された場合には、制御に応じてビームフォーミングを用いた通信を行う。
第二通信部４０３は、所定の通信路を介して制御装置３０との間で通信を行う。
【００３１】
通信制御部４０４は、第一通信部４０２による無線通信を制御する。通信制御部４０４は、所定のタイミングで端末装置５０の端末識別情報と実測品質とを取得する。通信制御部４０４は、取得された端末識別情報と実測品質との組み合わせを制御装置３０へ通知する。通信制御部４０４は、制御装置３０から通知されるビームフォーミングのパラメータに基づいて第一通信部４０２の動作を制御する。
【００３２】
図６は、無線通信システム１００の動作のうち、端末装置５０が中継装置４０に接続する際の処理の流れの具体例を示すシーケンスチャートである。まず、中継装置４０に未接続の端末装置５０が、無線通信可能な範囲に位置している中継装置４０に対してプローブ要求を送信する（ステップＳ１０１）。中継装置４０は、プローブ要求を受信すると、受信されたプローブ要求に含まれているService Set Identifier（ＳＳＩＤ）を取得する。中継装置４０は、取得されたＳＳＩＤが自装置のＳＳＩＤと一致するか否か判定する（ステップＳ１０２）。一致する場合には、中継装置４０はプローブ応答を端末装置５０に送信する（ステップＳ１０３）。
【００３３】
プローブ応答を受信した端末装置５０は、中継装置４０に対して接続要求を送信する（ステップＳ１０４）。中継装置４０は、接続要求を受信すると接続要求の送信元である端末装置５０に対し接続応答を送信する（ステップＳ１０５）。端末装置５０は、接続応答を受信すると、認証要求を送信する（ステップＳ１０６）。認証要求には、デバイス識別情報が含まれる。なお、端末装置５０は、認証処理とは別のタイミングでデバイス識別情報を送信しても良い。端末装置５０から送信された認証要求は、制御装置３０によって受信される。制御装置３０の通信制御部３０５は、受信された認証要求に応じて、認証装置１０に対し認証依頼を送信する（ステップＳ１０７）。認証依頼には、認証要求に含まれていたデバイス識別情報が認証情報として含まれてもよい。また、認証要求は中継装置４０から送信されてもよい。
【００３４】
認証装置１０は、認証依頼を受信すると、認証依頼に含まれている認証情報に基づいて認証処理を行う（ステップＳ１０８）。認証装置１０は、認証結果を制御装置３０に通知する（ステップＳ１０９）。
【００３５】
制御装置３０は、認証要求に含まれていたデバイス識別情報を含む通信条件要求をデータベース２０に送信する（ステップＳ１１０）。データベース２０は、通信条件要求を受信すると、デバイス識別情報に対応付けて記憶されている通信条件を判定する（ステップＳ１１１）。データベース２０は、判定結果を制御装置３０に通知する（ステップＳ１１２）。制御装置３０は、通知された判定結果である通信条件と、認証要求の送信元である端末装置５０を示す端末識別情報とを対応付けて端末通信条件テーブルに登録する（ステップＳ１１３）。制御装置３０は、ステップＳ１０９において通知された認証結果を、中継装置４０を介して端末装置５０に送信する（ステップＳ１１４）。この後、認証された端末装置５０は中継装置４０との間で無線通信を行うことが可能となる。なお、このような認証の具体例として、ＷＥＢ認証、ＭＡＣ認証、８０２．１ｘ認証などがある。例えば、認証によって通信を許可された端末装置５０のアドレス（例：ＩＰアドレス、ＭＡＣアドレス）を登録し、登録されたアドレスの通信パケットのみを通過させることによって、認証された端末装置５０の通信のみを許可するように構成されてもよい。
【００３６】
図７は、無線通信システム１００の動作のうち、端末装置５０が中継装置４０に接続した後に無線通信する際の処理の流れの具体例を示すシーケンスチャートである。端末装置５０が通信データを無線通信で中継装置４０へ送信する（ステップＳ２０１）。中継装置４０の通信制御部４０４は、所定のタイミングが到来すると、端末装置５０毎に実測品質を取得する（ステップＳ２０２）。通信制御部４０４は、取得された実測品質を制御装置３０に通知する（ステップＳ２０３）。制御装置３０の決定部３０６は、端末装置５０毎に、決定処理を行う（ステップＳ２０４）。決定部３０６によって決定処理が行われると、通信制御部３０５は、ビームフォーミングを使用すると決定された端末装置５０に関してビームフォーミングのパラメータを判定する。そして、通信制御部３０５は、判定されたパラメータでビームフォーミングが行われるように中継装置４０を制御する（ステップＳ２０５）。中継装置４０の通信制御部４０４は、制御装置３０による制御に応じて、第一通信部４０２の動作を制御することによってビームフォーミングを使用した無線通信を行う（ステップＳ２０６）。
【００３７】
このように構成された無線通信システム１００では、複数の端末装置５０が無線通信で中継装置４０に接続されるネットワークにおいて、スループットを向上させることができる。以下、このような効果について詳細に説明する。無線通信システム１００では、端末装置５０の実測品質のみに基づいてビームフォーミングが制御されるのではなく、端末装置５０の特性（デバイス識別情報）に基づいて決められた通信条件と実測品質とに基づいてビームフォーミングが制御される。そのため、低品質の無線通信でも問題無く動作可能な端末装置５０（例えば送信されるデータ容量が小さいセンサー）に対して不必要に高い通信品質が提供されることを抑止できる。その結果、たとえ実測品質が低いセンサーが存在していたとしても、有限の無線通信リソースを適切に割り当てることによって、より高い通信品質が求められる端末装置５０（例えばカメラ等）に対して高い通信品質を維持することが可能となる。
【００３８】
（変形例）
図１に示される無線通信システム１００の構成は例示にすぎない。図８〜図１１は、無線通信システム１００の構成の変形例を示す図である。
【００３９】
図８は、第一の変形例を示す図である。例えば、図８に示されるように、認証装置１０及びデータベース２０と中継装置４０とが、制御装置３０を介することなく、直接通信することが可能であってもよい。
【００４０】
図９は、第二の変形例を示す図である。例えば、図９に示されるように、認証装置１０及びデータベース２０の一方又は双方は、インターネット等の外部ネットワーク８０を介して制御装置３０に接続されてもよい。例えば、認証装置１０の機能やデータベース２０の機能がクラウド上に実装されてもよい。
【００４１】
図１０は、第三の変形例を示す図である。図１０において、中継装置４０ａは、上述した中継装置４０の構成と、制御装置３０の構成とを有している。
【００４２】
図１１は、第四の変形例を示す図である。図１１において、制御装置３０ａは、上述した制御装置３０の構成とデータベース２０の構成とを有している。
【００４３】
この他、上述した実施形態に係る無線通信システム１００には、種々の変形がなされてもよい。例えば、制御装置３０の第一通信部３０１及び第二通信部３０２は、１つの通信部として構成されてもよい。この場合、通信部は、認証装置１０、データベース２０及び中継装置４０と通信する。
【００４４】
通信制御部３０５は、中継装置４０のビームフォーミングを制御する際に、電波の出力を制御してもよい。例えば、通信制御部３０５は、Transmit Power Control（ＴＰＣ）機能を用いることによって電波の出力を制御してもよい。より具体的には、決定部３０６が通信条件を満たすように実測品質に基づいて無線信号の出力パワーを決定する。通信制御部３０５は、決定された出力パワーでビームフォーミングによる無線通信が行われるように、アンテナ毎のパラメータを決定してもよい。
【００４５】
制御装置３０の制御部３０４は、学習部３０７をさらに備えてもよい。学習部３０７は、端末通信条件記憶部３０３に記憶されている端末通信条件レコードの通信条件の値を、機械学習処理の実行結果に応じて更新してもよい。例えば、学習部３０７は、通信制御部３０５の通信制御の内容と、その後に得られた実測品質との組み合わせ等の教師データに基づいて機械学習処理を実行してもよい。
【００４６】
上述した無線通信システム１００では、端末装置５０に対してビームフォーミングを行う主体は中継装置４０であったが、必ずしも中継処理を行う装置である必要は無い。中継装置４０に限らず、複数の端末装置５０と無線通信を行う無線通信装置であれば、どのような装置が中継装置４０に代えて用いられてもよい。
【００４７】
上述したように、端末装置５０は、認証処理とは別のタイミングでデバイス識別情報を送信しても良い。この点について具体的に説明する。例えば、制御装置３０は、認証応答を送信するタイミングで、デバイス識別情報の送信を要求するデータを端末装置５０に対して送信してもよい。この送信は、認証応答を送信した後のタイミングであってもよい。端末装置５０は、デバイス識別情報の送信の要求を受けると、自装置のデバイス識別情報を制御装置３０に対して送信する。この後、制御装置３０は、ステップＳ１１０からステップＳ１１３の処理を実行してもよい。
【００４８】
上述した無線通信システム１００は、どのような環境に設置されてもよい。例えば、工場において各種機器の状態を測定するセンサーや監視カメラ等の端末装置５０が接続される無線通信システム１００として実装されてもよい。例えば、ショッピングセンターにおいて、各種人感センサーやＰＯＳ端末やデジタルサイネージや監視カメラ等の端末装置５０が接続される無線通信システム１００として実装されてもよい。
【００４９】
以上、この発明の実施形態について図面を参照して詳述してきたが、具体的な構成はこの実施形態に限られるものではなく、この発明の要旨を逸脱しない範囲の設計等も含まれる。
【符号の説明】
【００５０】
１００…無線通信システム，  １０…認証装置，  ２０…データベース，  ３０…制御装置，  ４０…中継装置，  ５０…端末装置，  ３０１…第一通信部，  ３０２…第二通信部，  ３０３…端末通信条件記憶部，  ３０４制御部，  ３０５…通信制御部，  ３０６…決定部，  ４０１…アンテナ，  ４０２…第一通信部，  ４０３…第二通信部，  ４０４…通信制御部，  ８０…外部ネットワーク
【図１】
2019068169.tif 000003
【図２】
2019068169.tif 000004
【図３】
2019068169.tif 000005
【図４】
2019068169.tif 000006
【図５】
2019068169.tif 000007
【図６】
2019068169.tif 000008
【図７】
2019068169.tif 000009
【図８】
2019068169.tif 000010
【図９】
2019068169.tif 000011
【図１０】
2019068169.tif 000012
【図１１】
2019068169.tif 000013